(57)【要約】 【課題】  本発明は、ダミー栓の挿入作業の効率を向上させた防水コネクタを提供する。【解決手段】  雌ハウジング１１の後端の収容凹部２５内には、キャビティ１４と対応して端子挿入孔２７が形成された一括ゴム栓１３が収容される。防水ゴム栓の後面側に装着されるカバー２９には端子挿入孔２７と対応する位置ごとに貫通孔３５が形成される。ダミー栓３４はカバー２９に対して、各貫通孔３５の内周壁から延出された４つ保持部３６により、ダミー栓３４の周方向において、４箇所で保持される。キャビティ１４に雌側端子金具１２が挿入されない空き部屋３３ができる場合には、全ダミー栓３４のうち、空き部屋３３と対応する位置のダミー栓３４のみが残され、他のダミー栓３４は治具３７で打抜かれて貫通孔３５内に雌側端子金具１２が挿入可能となる。カバー２９を装着すると、空き部屋３３と対応する端子挿入孔２７がダミー栓３４で塞がれる。【選択図】  図１
2006324161.tif 000002
【特許請求の範囲】
【請求項１】
端子金具が収容される複数のキャビティを設けたコネクタハウジングには、各キャビティに対応する位置に端子挿入孔が形成された防水用の一括ゴム栓が前記コネクタハウジングの後面側を塞いで装着され、前記端子金具が前記端子挿入孔を通して対応する前記キャビティ内に挿入されると、前記端子挿入孔の内周が前記端子金具に接続された電線に密着することでシールされる防水コネクタであって、前記キャビティのうちで前記端子金具が挿入されるものと空きとなるものとがある場合に、空きとなる前記キャビティと対応する前記端子挿入孔をダミー栓で塞ぐようにしたものにおいて、
前記一括ゴム栓の後面側には、前記一括ゴム栓を押さえると共に、各端子挿通孔と対応する位置に貫通孔が形成されたカバーが前記コネクタハウジングに装着されており、
前記ダミー栓は、前記貫通孔の内周壁から内方に突設された破断可能な保持部により、前記ダミー栓の周方向の一部において少なくとも２箇所で保持されていることを特徴とする防水コネクタ。
【請求項２】
前記ダミー栓及び前記保持部の後端面を、前記カバーの後端面よりも前方に引っ込んで形成することにより、
前記貫通孔のうち、前記ダミー栓及び前記保持部の後端面よりも後方の内周壁は、前記ダミー栓を打抜く治具を案内するための案内面とされることを特徴とする請求項１記載の防水コネクタ。
【請求項３】
前記各貫通孔に形成された前記保持部のうち少なくとも一つは、他の前記保持部とは前後方向にずれて配設されていることを特徴とする請求項１または請求項２記載の防水コネクタ。
【発明の詳細な説明】
【技術分野】
【０００１】
本発明は、防水コネクタに関する。
【背景技術】
【０００２】
従来より、防水コネクタとして特許文献１記載のものが知られている。このものは、複数のキャビティを設けたコネクタハウジングに、各キャビティに対応する位置に端子挿入孔が形成された防水用の一括ゴム栓を、コネクタハウジングの後面側を塞いで装着してなると共に、端子金具を端子挿入孔を通して対応するキャビティ内に挿入すると、端子挿入孔の内周が端子金具に接続された電線に密着することでシールされるようになっている。
【特許文献１】特開平１０ー２１９８９号公報
【発明の開示】
【発明が解決しようとする課題】
【０００３】
上記のキャビティのうちで端子金具が挿入されるものと空きとなるものとがある場合には、空きとなるキャビティ内にダミー栓を挿入して塞ぐことが考えられる。このようなダミー栓としては、空きとなるキャビティに対応した端子挿入孔に個別に挿入するものが考えられるが、空きとなるキャビティの数が多い場合にはダミー栓の挿入に手間がかかり、作業効率が低下する。
【０００４】
本発明は上記のような事情に基づいて完成されたものであって、ダミー栓の挿入作業の効率を向上させた防水コネクタを提供することを目的とする。
【課題を解決するための手段】
【０００５】
上記の目的を達成するための手段として、請求項１の発明は、端子金具が収容される複数のキャビティを設けたコネクタハウジングには、各キャビティに対応する位置に端子挿入孔が形成された防水用の一括ゴム栓が前記コネクタハウジングの後面側を塞いで装着され、前記端子金具が前記端子挿入孔を通して対応する前記キャビティ内に挿入されると、前記端子挿入孔の内周が前記端子金具に接続された電線に密着することでシールされる防水コネクタであって、前記キャビティのうちで前記端子金具が挿入されるものと空きとなるものとがある場合に、空きとなる前記キャビティと対応する前記端子挿入孔をダミー栓で塞ぐようにしたものにおいて、前記一括ゴム栓の後面側には、前記一括ゴム栓を押さえると共に、各端子挿通孔と対応する位置に貫通孔が形成されたカバーが前記コネクタハウジングに装着されており、前記ダミー栓は、前記貫通孔の内周壁から内方に突設された破断可能な保持部により、前記ダミー栓の周方向の一部において少なくとも２箇所で保持されていることを特徴とする防水コネクタ。
【０００６】
請求項２の発明は、請求項１記載のものにおいて、前記ダミー栓及び前記保持部の後端面を、前記カバーの後端面よりも前方に引っ込んで形成することにより、前記貫通孔のうち、前記ダミー栓及び前記保持部の後端面よりも後方の内周壁は、前記ダミー栓を打抜く治具を案内するための案内面とされることを特徴とする。
【０００７】
請求項３の発明は、請求項１または請求項２記載のものにおいて、前記各貫通孔に形成された前記保持部のうち少なくとも一つは、他の前記保持部とは前後方向にずれて配設されていることを特徴とする。
【発明の効果】
【０００８】
＜請求項１の発明＞
キャビティのうち端子金具が挿入されず空きとなるものに対応するダミー栓についてはそのままに残し、端子金具が挿入されるキャビティに対応するダミー栓については、保持部を破断してダミー栓を除去する。このように処理されたカバーを一括ゴム栓の後面側に装着すると、空きとなるキャビティに対応する端子挿入孔には残されたダミー栓が挿入されて塞がれ、一方、その他のキャビティには、ダミー栓が除去されたあとの貫通孔から端子挿入孔を通って端子金具が挿通される。このように請求項１の発明によれば、空きとなるキャビティと対応した一括ゴム栓の端子挿入孔を塞ぐ場合に、カバー上に必要なダミー栓のみを残した状態とし、そのカバーを防水ゴム栓の後面に装着すればよいから、ダミー栓の挿入作業が極めて簡単となる。
【０００９】
さらに、ダミー栓は、カバーの貫通孔内に突設された保持部により、ダミー栓の周方向の一部において保持されているから、ダミー栓を打抜く力が小さくて済む。これにより、ダミー栓の打抜き作業の効率を向上させることができる。
【００１０】
そのうえ、ダミー栓は、カバーに対して少なくとも２箇所で保持されているから、ダミー栓を一括ゴム栓の端子挿入孔に挿入する際に、ダミー栓の挿入方向と反対向きの力がダミー栓に力が加わっても、ダミー栓の姿勢を維持可能となり、正規の姿勢で保持できる。
【００１１】
＜請求項２の発明＞
請求項２の発明によれば、貫通孔のうち、ダミー栓及び保持部の後端面よりも後方の内周壁を、ダミー栓を打抜くための治具の案内面としたから、治具と、ダミー栓とを容易に位置合わせすることができる。これにより、ダミー栓の打抜き作業を円滑に行うことができる。
【００１２】
＜請求項３の発明＞
例えば、各貫通孔内における全ての保持部が前後方向の同じ位置に配されている場合、ダミー栓を打抜く際に、全ての保持部を同時に破断する必要があるため、大きな力を必要とする。
【００１３】
請求項３の発明によれば、貫通孔内に形成された保持部のうち少なくとも一つは、他の保持部とは前後方向にずれて配設されているから、ダミー栓を打抜く際に必要とされる力が、全ての保持部が前後方向の同じ位置に配されている場合に比べて小さくて済む。
【００１４】
また、ダミー栓を一括ゴム栓の端子挿入孔に挿入する際に、例えば保持部を支点としてダミー栓を揺動させるような方向の力が加わった場合でも、ダミー栓は前後方向にずれて配された保持部によりカバーに保持されているから、ダミー栓を正規の姿勢で保持できる。
【発明を実施するための最良の形態】
【００１５】
＜実施形態１＞
本発明の実施形態１を図１ないし図６によって説明する。図１に示すように、本実施形態の防水コネクタ１０は、雌ハウジング１１（本発明に係るコネクタハウジングに相当）内に雌側端子金具１２（本発明に係る端子金具に相当）が収容されると共に、雌ハウジング１１に配された一括ゴム栓１３によりシールが取られるようになっている。なお、以下の説明において、防水コネクタ１０の構成及び組付作業に関しては、図１における左方を前方として説明する。
【００１６】
上記の雌ハウジング１１は、合成樹脂材により略ブロック状に形成されており、前後方向に延びる複数のキャビティ１４が幅方向に並んで形成されている。また、各キャビティ１４内には、雌側端子金具１２が、キャビティ１４内に設けられたランス１５に係止されて抜け止め状態で収容されるようになっている。なお、上記の雌側端子金具１２は、図６に示すように、導電性の金属板をプレス加工することで形成され、前端側に弾性接触片（図示せず）を内部に備えた箱形の接続部１６が形成され、後端側のバレル部１７がかしめられて電線１８の端末に圧着されている。また、キャビティ１４の前壁には、図示しない雄側端子金具が挿入されるための開口部１９が形成されている。
【００１７】
図１に示すように、雌ハウジング１１の前端側には、後方に開口する合成樹脂製のリテーナ２０が前方から装着されて、ランス１５の撓み変形を規制することで雌側端子金具１２の二重係止が図られている。このリテーナ２０の前壁には、図示しない雄側端子金具が挿入されるための開口部２１が形成されている。
【００１８】
雌ハウジング１１の側壁の外側面には、リテーナ２０を仮係止位置に保持するための仮係止突部２２と、本係止位置に保持するための本係止突部２３とが、前後方向にずれると共に、上下方向（図１の紙面を貫通する方向）にずれて、外方に突設されている。一方、リテーナ２０の側壁の前端部の内側面には、上記の仮係止突部２２及び本係止突部２３と係止するための受け部２４が設けられている。リテーナ２０の受け部２４が、雌ハウジング１１の仮係止突部２２又は本係止突部２３と後方から係止して、リテーナ２０が前方に変位することが規制されることにより、リテーナ２０は、雌ハウジング１１に対して仮係止位置（図６参照）及び本係止位置にそれぞれ保持されるようになっている。
【００１９】
図４に示すように、雌ハウジング１１の後端面には、一括ゴム栓１３を収容するための収容凹部２５が、後方に開口すると共に、全キャビティ１４の入口にわたるようにして形成されている。
【００２０】
図４に示すように、一括ゴム栓１３は厚肉の板状をなし、雌ハウジング１１の収容凹部２５内に収容されて、緊密に嵌合可能に形成されている。この一括ゴム栓１３の外周面には、収容凹部２５の内周壁に弾性的に当接可能な図示２条の外周側リップ２６が周設されている。なお、一括ゴム栓１３が収容凹部２５内に収容された状態では、一括ゴム栓１３の外周側リップ２６が、収容凹部２５の内周壁と弾性的に当接することにより、一括ゴム栓１３と収容凹部２５との間が液密状態にシールされるようになっている。また、このとき、一括ゴム栓１３の後端面と、雌ハウジング１１の後端面とは、略面一になるように形成されている。
【００２１】
また、一括ゴム栓１３には、雌ハウジング１１の各キャビティ１４と対応した位置ごとに、前後方向に貫通した端子挿入孔２７が形成されており、各端子挿入孔２７の内周面には、電線１８の外周面と弾性的に密着可能な図示２条の内周側リップ２８が周設されている。なお、電線１８が端子挿入孔２７内に挿通された状態では、電線１８の外周面と、一括ゴム栓１３の内周側リップ２８とが弾性的に当接することにより、端子挿入孔２７と電線１８との間が液密状態にシールされるようになっている。
【００２２】
一括ゴム栓１３の後方からは、前方に開口した略キャップ状をなす、合成樹脂製のカバー２９が取り付けられて、一括ゴム栓１３を押さえるようになっている。このカバー２９の側壁の前端縁には、雌ハウジング１１の側壁の後端縁の外側面に形成された係合突部３０に対応する位置に、この係合突部３０と係合する受け部３１が形成されている。カバー２９の受け部３１が雌ハウジング１１の係合突部３０に前方から係止することにより、カバー２９が後方へ変位することが規制されている。
【００２３】
また、カバー２９の後壁の内側面には、前方に延出する支持壁３２が形成されており、この支持壁３２の前端縁が雌ハウジング１１の後端縁に後方から当接することにより、カバー２９の前方への変位が規制されている。さらにこの支持壁３２により、カバー２９の後壁は、一括ゴム栓１３の後端面から後方に離間して配されるようになっている。これにより、電線１８に対して曲げ方向の力が加えられても、電線１８に作用する力はカバー２９の後壁に形成された貫通孔３５の孔縁部で支持されることで、一括ゴム栓１３に伝達されにくくなっている。この結果、一括ゴム栓１３が変形して外周側リップ２６と端子挿入孔２７の内周壁とが離間することを防止できるから、一括ゴム栓１３の防水性を保持できるようになっている。
【００２４】
さて、防水コネクタ１０の使用態様によっては、雌ハウジング１１に設けられたキャビティ１４のうちで、雌側端子金具１２が挿入されない部屋、すなわち空き部屋（図において３３で表示）ができる場合がある。その場合、空き部屋３３と対応した端子挿入孔２７は開口されたままとなってシールがなされないから、その端子挿入孔２７を塞ぐ必要がある。
【００２５】
そこで本実施形態では、そのような端子挿入孔２７を塞ぐダミー栓３４をカバー２９が備える構成とした。図２に示すように、このカバー２９の後壁には、一括ゴム栓１３の各端子挿入孔２７と対応する位置ごとに、矩形状に開口すると共に前後方向に貫通する貫通孔３５が形成されている。この貫通孔３５の４つの内周壁からはそれぞれ、内方に突出する柱状の保持部３６が形成されており、この４本の保持部３６によりダミー栓３４が貫通孔３５内に保持されている。ダミー栓３４は、全端子挿入孔２７に対応して形成されている。
【００２６】
上述のダミー栓３４は、一括ゴム栓１３の端子挿入孔２７の内周側リップ２８の内径よりもやや大きな外径寸法を備えた丸棒状をなしており、その先端には、端子挿入孔２７への挿入が容易となるように丸みが付けられている。ダミー栓３４の先端の位置は、カバー２９の側壁の前端縁と略同じか、又は後方にやや引っ込んだ位置に形成されている。これによりダミー栓３４に異物が衝突して、ダミー栓３４が変形したり破損したりすることを防止できるようになっている。
【００２７】
保持部３６とダミー栓３４とは、ダミー栓３４の後端部において接続されるようになっている。このダミー栓３４は、カバー２９に対して、ダミー栓３４の外周面の周方向においては、４本の保持部３６と接続する部分においてのみ保持されるようになっている。ダミー栓３４の後端面及び保持部３６の後端面は略面一に形成されており、カバー２９の後端面４１よりもやや前方に引っ込んで形成されている。また、４本の保持部３６は、貫通孔３５の内周壁のうち互いに対向する内周壁から延出されたもの同士が対をなしており、各保持部３６同士は、略９０°間隔毎に配設されている。
【００２８】
上述の保持部３６は、治具３７により破断可能に形成されている。図３に示すように、この治具３７は、カバー２９の貫通孔３５を貫通可能な外径寸法に設定された細棒状の打抜き部３８を備えてなり、この打抜き部３８の先端が保持部３６を押圧することで保持部３６を破断可能に形成されている。
【００２９】
ハウジングのキャビティ１４に空き部屋３３が生じる場合には、空き部屋３３に対応する位置のダミー栓３４を残し、一方、雌側端子金具１２を挿入するキャビティ１４に対応するダミー栓３４に対しては、治具３７により保持部３６を破断して、ダミー栓３４を打抜く。これにより、必要なダミー栓３４が、カバー２９上に残される。そのカバー２９を一括ゴム栓１３の後面に装着することにより、ダミー栓３４が、空き部屋３３となるキャビティ１４に対応する端子挿入孔２７に、同時に一括して挿入されるようになっている。
【００３０】
続いて、本実施形態の作用、効果について説明する。まず、カバー２９は、全ダミー栓３４を備えた状態で成型される。続いて、図３に示すように、ダミー栓３４を前方に向けた状態で図示しない治具に設置する。その後、治具３７を、打抜き部３８をカバー２９側に向けながら、後方からカバー２９に接近させ、打抜き部３８の先端を、雌側端子金具１２が挿入されるキャビティ１４に対応するダミー栓３４及び保持部３６に宛がう。さらに図３の矢線に示すように治具３７を前方に変位させると、打抜き部３８の先端に押圧されることにより４つの保持部３６が破断して、打抜き部３８がカバー２９の貫通孔３５を貫通し、それによりダミー栓３４が打抜かれる。この作業により、雌側端子金具１２が挿入されるキャビティ１４に対応するダミー栓３４は打抜かれるから、カバー２９の貫通孔３５は、雌側端子金具１２及び電線１８を挿通可能となる。一方、雌側端子金具１２が挿入されない空き部屋３３に対応する位置のダミー栓３４はそのまま残される。
【００３１】
その後、治具３７を、後方に変位させてカバー２９の貫通孔３５から打抜き部３８を抜き取ることにより、図４に示すように、空き部屋３３と対応した位置にはダミー栓３４がそのまま残され、その他ではダミー栓３４が打抜かれることで雌側端子金具１２及び電線１８を挿通可能となった貫通孔３５を備えたカバー２９が得られる。
【００３２】
防水コネクタ１０の組付けは、まず、図４の矢線に示すように、雌ハウジング１１の収容凹部２５に一括ゴム栓１３を嵌着する。続いて、図５の矢線に示すように、カバー２９を雌ハウジング１１の後端部に嵌めこむ。このとき、カバー２９の受け部２４と、雌ハウジング１１の係合突部３０とが係止することでカバー２９と雌ハウジング１１とが固定される。カバー２９には空き部屋３３と対応する位置のダミー栓３４が残されているから、空き部屋３３と対応する端子挿入孔２７にダミー栓３４が同時に一括して嵌入されて、その端子挿入孔２７を塞ぐ。その他の端子挿入孔２７は、カバー２９に形成された貫通孔３５と整合して後方に開口する。
【００３３】
一方、図６に示すように、雌ハウジング１１の前端部にリテーナ２０を嵌めこんで、仮係止位置に保持する。このとき、リテーナ２０の受け部２４が、メスハウジングの仮係止突部２２と後方から当接することで、リテーナ２０が仮係止位置に保持される。
【００３４】
リテーナ２０を雌ハウジング１１に仮係止位置に保持した状態で、図６に示すように、電線１８の端末に固着された雌側端子金具１２を、カバー２９の貫通孔３５から端子挿入孔２７を通って、対応するキャビティ１４に挿入する。すると、雌側端子金具１２はランス１５により係止されて抜け止めされる。また、雌側端子金具１２が挿入されたキャビティ１４と対応する端子挿入孔２７は電線１８により塞がれる。それにより雌ハウジング１１の後面側がシールされる。
【００３５】
続いて、リテーナ２０を図１における後方に変位させる。すると、リテーナ２０の受け部２４が、雌ハウジング１１の本係止突部２３と後方から当接することで、リテーナ２０が本係止位置に保持される。これにより、雌側端子金具１２がリテーナ２０により二重係止される。
【００３６】
以上説明したように、本実施形態によれば、空きとなるキャビティ１４と対応した一括ゴム栓１３の端子挿入孔２７を塞ぐ場合に、予めダミー栓３４の設けられたカバー２９から治具３７を用いて必要なダミー栓３４のみを残したカバー２９を製造し、そのカバー２９を防水ゴム栓の後面に装着すればよいから、ダミー栓３４の挿入作業が極めて簡単となる。
【００３７】
さらに、ダミー栓３４は、カバー２９の貫通孔３５内に突設された４つの保持部３６と接続する部分において、ダミー栓３４の周方向の一部において保持されているから、例えば、保持部３６がダミー栓３４の全周に亘って設けられている場合に比べて、ダミー栓３４を打抜く力が小さくて済む。これにより、ダミー栓３４の打抜き作業の効率を向上させることができる。
【００３８】
また、ダミー栓３４は、カバー２９に対して４箇所で保持されている。これにより、ダミー栓３４を一括ゴム栓１３の端子挿入孔２７に挿入する際に、ダミー栓３４に対して、挿入方向と反対側の力が加わった場合でも、各保持部３６同士が互いに支持しあうことにより、ダミー栓３４を正規の姿勢で保持することができる。さらに、各保持部３６同士は略９０°間隔毎に配設されるようになっているから、ダミー栓３４に加わる力を各保持部３６同士で均等に分散して支持することができる。これによりダミー栓３４の姿勢を一層保持しやすくなっている。
【００３９】
＜実施形態２＞
次に、本発明の実施形態２を図７によって説明する。実施形態２においては、隣接する貫通孔３５同士を隔てる隔壁４２を前方に延出し、隔壁４２の前端縁及び支持壁３２の内側壁から保持部３６を延出させることにより、ダミー栓３４及び保持部３６の後端面と、カバー２９の後端面４１との間の前後方向の長さ寸法を、実施形態１よりも大きく設定してある。これにより、貫通孔３５のうちダミー栓３４及び保持部３６の後端面よりも後方の内周壁は、治具３７の打抜き部３８を案内するための案内面３９とされる。上記以外の構成については実施形態１と略同様であり、同一部分については同一符号を付して重複する説明を省略する。
【００４０】
上述したように打抜き部３８は細棒状をなしているため、ダミー栓３４の打抜き方向の軸からわずかに芯ぶれすることが懸念される。この点を鑑み実施形態２おいては、貫通孔３５のうち、ダミー栓３４及び保持部３６の後端面よりも後方の内周壁を、ダミー栓３４を打抜くための治具３７の案内面３９とした。これにより、打抜き部３８の外周面が、案内面３９と摺接しつつダミー栓３４及び保持部３６と当接するようになっているから、打抜き部３８がダミー栓３４の打抜き方向の軸からわずかに芯ぶれしていた場合でも、案内面３９により誘導されて、治具３７と、ダミー栓３４とを容易に位置合わせすることができる。その結果、ダミー栓３４の打抜き作業を円滑に行うことができる。
【００４１】
＜実施形態３＞
図８及び図９は本発明の実施形態３を示す。実施形態３においては、図８において左右方向に沿って配設される第１保持部４０Ａの後端面は、ダミー栓３４の後端面と略面一となるように配設されている。一方、図８において上下方向に沿って配設される第２保持部４０Ｂは、詳細には図示しないが、支持壁３２の内側壁から延出されており、第１保持部４０Ａよりも、貫通孔３５において前方（図８において紙面を貫通する方向の奥側）にずれて配設されている。詳細には、第２保持部４０Ｂは、ダミー栓３４の後端縁から、ダミー栓３４の前後方向の長さ寸法の略四分の一だけ前方にずれた位置に形成されている（図９参照）。上記以外の構成については実施形態１と略同様であり、同一部分については同一符号を付して重複する説明を省略する。
【００４２】
続いて、本実施形態の作用、効果について説明する。打抜き部３８をカバー２９側に向けながら、後方から治具３７をカバー２９に接近させて、打抜き部３８の先端を雌側端子金具１２が挿入されるキャビティ１４に対応するダミー栓３４及び第１保持部４０Ａに宛がう。さらに図９の矢線に示すように、治具３７を前方に変位させると、打抜き部３８の先端に押圧されることより、第１保持部４０Ａ及び第２保持部４０Ｂが破断される。
【００４３】
なお、例えば、打抜き部３８の先端が後方に引っ込んでダミー栓３４を収容可能な凹部が形成されており、第１保持部４０Ａと第２保持部４０Ｂとを順次打抜き可能になっている場合など、打抜き部３８の先端の形状によっては、治具３７により、第１保持部４０Ａ及び第２保持部４０Ｂを、２つずつ順次破断することが可能となる。この場合には、４つの保持部が前後方向の同じ位置に配設された場合に比べて、ダミー栓３４を打抜く際に必要とされる力が小さくて済むという効果を得ることができる。
【００４４】
カバー２９を後方から雌ハウジング１１に組付ける際、ダミー栓３４の先端が一括ゴム栓１３の端子挿入孔２７に後方から当接することにより、ダミー栓３４を揺動させる方向の力が加えられた場合でも、第２保持部４０Ｂは、ダミー栓３４の後端縁から略四分の一前方にずれた位置に配されているから、ダミー栓３４の先端が揺動することを効果的に防止できる。さらに、ダミー栓３４の後端縁は第１保持部４０Ａにより保持されているから、ダミー栓３４の後端縁が揺動することも防止できる。これにより、ダミー栓３４の姿勢を正規位置に保持した状態で、ダミー栓３４を端子挿入孔２７に挿入可能となる。
【００４５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４６】
（１）本実施形態においては、予めダミー栓３４を全端子挿入孔２７に個別に嵌合可能に形成し、雌側端子金具１２が挿入されるキャビティ１４に対応するダミー栓３４を打抜く構成としたが、これに限られず、雌側端子金具１２が挿入されることが予め明らかなキャビティ１４については、カバー２９にダミー栓３４を形成せず、雌側端子金具１２を挿入するための貫通孔３５を形成する構成としてもよい。
【００４７】
（２）本実施形態においては、各貫通孔３５に形成された保持部は４本であったが、これに限られず、２本若しくは３本又は５本以上でもよい。
【００４８】
（３）本実施形態においては、貫通孔３５は矩形状に開口する構成としたが、これに限られず、端子金具及び電線１８を挿通可能であれば、円形、長円形、方形など、任意の形状とすることができる。
【００４９】
（４）実施形態３においては、一対の保持部４０Ａ，４０Ａと、一対の保持部４０Ｂ，４０Ｂとは、前後方向にずれて配設される構成としたが、これに限られず、例えば、１つの保持部のみを前後方向にずらして配設する構成としてもよく、また、例えば保持部を６つ形成し、この保持部を３つずつ組にして２組に分け、同じ組の保持部同士は前後方向の同じ位置に配設すると共に、異なる組の保持部については前後方向にずらして配設する構成としてもよい。
また、対をなす保持部同士を、前後方向に３箇所以上に分けて配設する構成としてもよい。
【００５０】
（５）本実施形態においては、雌側端子金具１２を備えた雌コネクタに適用した例を説明したが、本発明は、雄側端子金具を備えた雄コネクタに適用してもよい。
【００５１】
（６）ダミー栓３４は、治具３７により一つずつ順次打抜き加工してもよいし、また、打抜き部３８を複数備えた治具３７により一括して打抜き加工してもよい。
【００５２】
（７）カバー２９を、図２において上位反転させた状態で雌ハウジング１１に組付けることを防止するために、例えば、カバー２９の形状を上下非対称にしたり、カバー２９に形成された貫通孔３５の位置を上下非対称としてもよい。また、例えば、カバー２９及び雌ハウジング１１の一方に案内ピンを設けると共に他方には案内ピンが挿入される挿入孔を設けるなど、カバー２９を、図２において上下反転させた状態で雌ハウジング１１に組付けようとした場合にはカバー２９が組付け不能となるような機構を、カバー２９又は雌ハウジング１１に設ける構成としてもよい。
【００５３】
（８）打抜き部３８の断面形状は、例えば、貫通孔３５の形状に合わせて矩形状としてもよいし、ダミー栓３４の形状に合わせて円形としてもよく、任意の形状とすることができる。
【図面の簡単な説明】
【００５４】
【図１】実施形態１に係る防水コネクタの断面図
【図２】同じく防水コネクタのカバーの背面図
【図３】同じくダミー栓の打抜き作業動作を示す、図２におけるカバーのＡ−Ａ線断面図
【図４】同じく雌ハウジング、一括ゴム栓及びカバーの断面図
【図５】同じくカバーの装着動作を示す断面図
【図６】同じく電線の挿入動作を示す断面図
【図７】実施形態２に係る防水コネクタにおいて、ダミー栓３４の打抜き作業時におけるカバーの断面図
【図８】実施形態３に係る防水コネクタのカバーの背面図
【図９】同じくダミー栓の打抜き作業動作を示す、図８におけるカバーのＢ−Ｂ線断面図
【符号の説明】
【００５５】
１０…防水コネクタ
１１…雌ハウジング（コネクタハウジング）
１２…雌側端子金具（端子金具）
１３…一括ゴム栓
１４…キャビティ
１８…電線
２７…端子挿入孔
３４…ダミー栓
３５…貫通孔
３６…保持部
３９…案内面
４０Ａ…第１保持部
４０Ｂ…第２保持部
【図１】
2006324161.tif 000003
【図２】
2006324161.tif 000004
【図３】
2006324161.tif 000005
【図４】
2006324161.tif 000006
【図５】
2006324161.tif 000007
【図６】
2006324161.tif 000008
【図７】
2006324161.tif 000009
【図８】
2006324161.tif 000010
【図９】
2006324161.tif 000011